(57)【特許請求の範囲】
【請求項１】
ハンガーの肩部に掛けられる一対のかぎ部と、
この一対のかぎ部に対して所定間隔を空けて設けられ、ズボンのウェスト部分を引っかける、楕円形状の板状体から成るウェスト掛け部と、
を有することを特徴とするズボンハンガー。
【請求項２】
前記ウェスト掛け部は前記一対のかぎ部に対して取り外すことが可能なことを特徴とする請求項１記載のズボンハンガー。
【請求項３】
前記一対のかぎ部と、前記ウェスト掛け部の間の間隔をなくすように、畳むことが可能なことを特徴とする請求項１又は２記載のズボンハンガー。
【請求項４】
ハンガーの肩部に掛けられる一対のかぎ部と、
このかぎ部に所定間隔を空けて前記ハンガーに並行に固定され、ズボンのウェスト部分を引っかけるウェスト掛け部と、
前記一対のかぎ部から下方に屈曲し前記ウェスト掛け部に固定される固定部と、
を有することを特徴とするズボンハンガー。
【請求項５】
前記一対のかぎ部と前記固定部は一体として下方に屈曲したパイプにより形成されてなることを特徴とする請求項４記載のズボンハンガー。
【請求項６】
前記一対のかぎ部から縦に延びるパイプに垂直に支持パイプが設けられ、この支持パイプの中央に縦に吊下げ部が更に設けられてなることを特徴とする請求項５記載のズボンハンガー。
【発明の詳細な説明】
【技術分野】
【０００１】
本発明は、例えばズボンが掛けられるズボンハンガーに関する。
【背景技術】
【０００２】
従来、上着やコートを掛けるハンガーは、広く普及している。しかし、ズボンを掛けることの可能なズボン専用のハンガー（例えば特許文献１）も知られているが、あまり普及していない。この理由は、ズボン専用ハンガーはそれほど需要がないからであると思われる。また、上記の一般のハンガーの一部に特殊な機構を設けてズボンも掛けられるようしたハンガー（例えば特許文献２）も知られている。しかし、この種のズボンも掛けられることが可能なハンガーは、ズボンを掛けられるようにするために、少し機構を複雑にする必要があり、コスト的に高くなる問題点がある。
【先行技術文献】
【特許文献】
【０００３】
【特許文献１】特開昭５９−２５１７号公報
【特許文献２】特開平１１−１６９２７７号公報
【発明の概要】
【発明が解決しようとする課題】
【０００４】
本発明は、このような従来のズボンが掛けられるハンガーの問題点にかんがみてなされたもので、コスト的に安くしかも、ズボンを掛ける必要があるとき、簡単に掛けることが可能な、ズボンハンガーを提供することを目的とする。
【課題を解決するための手段】
【０００５】
本発明の一実施形態は、ハンガーの肩部に掛けられる一対のかぎ部と、この一対のかぎ部に対して所定間隔を空けて設けられ、ズボンのウェスト部分を引っかける、楕円形状の板状体から成るウェスト掛け部と、を有することを特徴とするズボンハンガーを提供する。
【図面の簡単な説明】
【０００６】
【図１】本発明の一実施形態に係るズボンハンガーの背面から見た斜視図である。
【図２】図１に示した一実施形態の側面図である。
【図３】図１に示した一実施形態の背面図である。
【図４】一実施形態のズボンハンガーをハンガーに掛けた状態を示す図である。
【図５】一実施形態のズボンハンガーの使用状態を示す図である。
【図６】他の実施形態の一状態を示す図である。
【図７】更に他の実施形態の一状態を示す図である。
【図８】本発明の他の実施形態に係るズボンハンガーの背面から見た斜視図である。
【発明を実施するための形態】
【０００７】
以下、本発明の実施形態について図面を用いて説明する。一実施形態の背面から見た斜視図を図１に示す。この実施形態のズボンハンガー１０は、横長楕円形状の板状体である板状部材１１と、この板状部材１１の内側に固定して設けられた通常使われるハンガーに引っかけられる保持部１２とを有する。この実施形態のズボンハンガーの側面図を図２に、背面図を図３に示す。板状部材１１は後述するように、ズボンのウェスト部分が掛けられるウェスト掛け部を構成する。
【０００８】
板状部材１１は、例えば横長の両方の端部近く及び中央上部に貫通孔から成る取手部１３ａ，１３ｂ，１３ｃを有する。保持部１２は、図１に示すように、上記板状部材１１にパイプを下方にコの字状に屈曲させて固定される固定部１４と、ハンガーに引っかけられるかぎ部１５ａ，１５ｂが一体に形成されており、図２に示すように、その間には所定の間隔Ｗが設けられる。更にその中間には、機械的に強度を持たせるために２本の細い支持パイプ１６，１７が上下に固定されている。
【０００９】
この実施形態では、固定部１４は、パイプをプラスチック製の留め具１８で、板状部材１１に固定している。
【００１０】
このズボンハンガー１０が、通常一般に使用されるハンガー２１にかけられた状態を図４に示す。すなわち、ハンガー２１の肩部２１ａ，２１ｂにズボンハンガー１０のかぎ部１５ａ，１５ｂが掛けられる。すると、ハンガー２１と板状部材１１はほぼ平行になる。
【００１１】
この実施形態において、ズボンが掛けられた状態を図５に示す。ズボン３１は、そのウェスト部分３２がウェスト掛け部である板状部材１１を覆うように掛けられる。したがって、板状部材１１は、ズボン３１のウェスト部分３２が完全に被さるような大きさとされている。
【００１２】
ズボンハンガー１０を使用するときには、まず、ズボンハンガー１０のかぎ部１５ａ１５ｂを通常のハンガー２１の肩部２１ａ，２１ｂにかけて固定する。そしてこのズボンハンガー１０の板状部材１１に脱いだズボン３１のウェスト部３２が覆うようにそのままかける。
【００１３】
かぎ部１５ａ，１５ｂの間の間隔Ｄは、ハンガー２１の肩部にかぎ部１５ａ，１５ｂがかかる距離とする。この間隔Ｄは、例えば８ｃｍ程度から１８ｃｍ程度が好ましく、１３ｃｍから１５ｃｍ程度が最も好ましい。
【００１４】
かぎ部１５ａ，１５ｂがハンガーに掛けられ、板状部材１１にズボンが掛けられる。したがって固定部１４と、かぎ部１５ａ，１５ｂの間隔Ｗはあまり大きすぎるとバランスが悪くなり、あまり近すぎると、ズボンが掛けにくくなる。固定部１４と、かぎ部１５ａ，１５ｂの間隔Ｗは、３ｃｍから７ｃｍ程度が好ましく４ｃｍから６ｃｍ程度が最も好ましい。
【００１５】
上記実施形態では、留め具によりパイプと板状部材を固定していたが、接着剤により固定してもよい。
【００１６】
この実施形態によれば、脱いだズボンをそのままこのズボンハンガー１０に簡単にかけることが可能となる。しかもこのズボンハンガーはコスト的に安く、通常のハンガーがあれば用いることが可能である。
【００１７】
この実施形態では、ウェスト掛け部である板状部材１１に取手部１３ａ．１３ｂ，１３ｃが設けられており、持ち運びが容易であるという利点もある。この板状部材１１の取手部にかぎを設けておくと、このかぎを引っかけておくことが可能となる。なお、ウェスト掛け部である板状部材１１は板でなくてもよく楕円形状のパイプ材料により形成されてもよい。すなわちウェスト掛け部としてパイプを用いた場合には、軽くなりしかも取手部を特別設ける必要がなくなる。ズボンのウェスト部分がかけられるので、ウェスト掛け部の上部は曲線になっていることが好ましい。
【００１８】
上記実施形態では、かぎ部１５ａ，１５ｂは板状部材１１から所定間隔離して、固定されていた。しかし、図６に示すように、板状部材１１とかぎ部１５ａ，１５ｂは切り離すことができるようにしてもよい。このようにすれば、ズボンハンガーを分解して運ぶことも可能となる。
【００１９】
また、図７に示すように、かぎ部１５ａ，１５ｂと板状部材１１の間隔を狭くして折り畳むことができるようにすることができる。この場合にはかぎ部１５ａ，１５ｂを板状部材１１に取り付けている固定部１４の途中の屈曲部３５を蝶番３６などにより機械的に折り畳むことができる機構とすればよい。
【００２０】
このような構造とすれば、このズボンハンガーが嵩張らず可搬性が向上する。
【００２１】
図６に示すように板状部材１１を取り外し更に図７に示すように、屈曲部３５を畳むことが可能な構造とすれば、更に可搬性は向上する。
【００２２】
本発明の他の実施形態について図８を用いて説明する。このズボンハンガー４０は、１対のかぎ部に中央に吊下げ部を有するものであり、他の構成は図１に示したズボンハンガー１０と同様である。参照符号４１〜４８は、図１に示す各部名称の参照符号１１〜１８に対応する。
【００２３】
すなわち、板状部材４１の両端及び上方に取手部４３ａ，４３ｂ，４３ｃが設けられており、一対のかぎ部４５ａ，４５ｂの中央上部に、吊下げ部５１の吊部５２がありその下部は、支持パイプ４６，４７が貫通する筒部５３が設けられている。かぎ部４５ａ，４５ｂがハンガーに掛けられるときには、矢印６０に示すように吊部５２は下方に下げられ、ハンガーが掛けられるときの邪魔にならないようにされる。
【００２４】
この実施形態によれば、ズボンハンガー４０を使用しないときには、突起のあるかぎなどに吊下げておくことが可能となる。
【００２５】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１０，４０・・・・ズボンハンガー
１１，４１・・・・板状部材
１２，４２・・・・保持部
１３ａ，１３ｂ，１３ｃ，４３ａ，４３ｂ，４３ｃ・・・・取手部
１４・・・・固定部
１５ａ，１５ｂ，４５ａ，４５ｂ・・・かぎ部
１６，１７，４６，４７・・・・支持パイプ
１８，４８・・・・留め具
２１・・・・ハンガー
３１・・・・ズボン
３２・・・・ウェスト部分
【図１】
0005388014.tif 000002
【図２】
0005388014.tif 000003
【図３】
0005388014.tif 000004
【図４】
0005388014.tif 000005
【図５】
0005388014.tif 000006
【図６】
0005388014.tif 000007
【図７】
0005388014.tif 000008
【図８】
0005388014.tif 000009